(57)【要約】【課題】開閉体の構成を簡素化できる開閉装置を提供する。【解決手段】開閉装置１は、室外空間と室内空間とを仕切る移動可能な開閉体３を備える。開閉装置１は、開閉体３の移動時に開閉体３を案内するガイド溝部、室外空間に面する外板部１２および外板部１２と離間対向して室内空間に面する内板部とを有するガイドレール体４を備える。ガイドレール体４の外板部１２には、外換気孔を切起しにより形成する。ガイドレール体４の内板部における外換気孔との対向部分以外の部分には、内換気孔を形成する。【選択図】　　　　図１
2004084418.tif 000002
【特許請求の範囲】
【請求項１】
移動可能な開閉体と、
この開閉体の移動時にこの開閉体を案内するガイドレール体と、
このガイドレール体に形成された換気孔と
を備えることを特徴とする開閉装置。
【請求項２】
室外空間と室内空間とを仕切る移動可能な開閉体と、
この開閉体の移動時にこの開閉体を案内するガイド溝部、前記室外空間に面する外面部、および、この外面部と離間対向して前記室内空間に面する内面部を有するガイドレール体と、
このガイドレール体の前記外面部に形成された外換気孔と、
前記ガイドレール体の前記内面部に形成された内換気孔と
を備えることを特徴とする開閉装置。
【請求項３】
内換気孔は、ガイドレール体の内面部における外換気孔との対向部分以外の部分に形成されている
ことを特徴とする請求項２記載の開閉装置。
【請求項４】
外換気孔は、ガイドレール体の外面部に室外空間側への切起しにより形成され、その切起し部分にて覆われている
ことを特徴とする請求項２または３記載の開閉装置。
【発明の詳細な説明】
【０００１】
【発明の属する技術分野】
本発明は、開閉体の構成の簡素化を図ることができる開閉装置に関する。
【０００２】
【従来の技術】
従来、換気機能をもった開閉装置としては、例えば開閉体であるシャッタカーテンに工夫を施したスリットタイプ式の窓シャッタや、ブラインドタイプ式の窓シャッタ等が広く知られている。
【０００３】
【発明が解決しようとする課題】
しかしながら、上記従来のスリットタイプ式の窓シャッタ等の開閉装置では、シャッタカーテン等の開閉体の構成が複雑となりがちで、開閉体の構成の簡素化を図れない、という不具合がある。
【０００４】
本発明は、このような点に鑑みなされたもので、開閉体の構成の簡素化を図ることができる開閉装置を提供することを目的とする。
【０００５】
【課題を解決するための手段】
請求項１記載の開閉装置は、移動可能な開閉体と、この開閉体の移動時にこの開閉体を案内するガイドレール体と、このガイドレール体に形成された換気孔と備えるものである。
【０００６】
そして、開閉体を案内するガイドレール体に換気孔が形成された構成であるから、開閉体の構成の簡素化が図られる。
【０００７】
請求項２記載の開閉装置は、室外空間と室内空間とを仕切る移動可能な開閉体と、この開閉体の移動時にこの開閉体を案内するガイド溝部、前記室外空間に面する外面部、および、この外面部と離間対向して前記室内空間に面する内面部を有するガイドレール体と、このガイドレール体の前記外面部に形成された外換気孔と、前記ガイドレール体の前記内面部に形成された内換気孔とを備えるものである。
【０００８】
そして、ガイド溝部で開閉体を案内するガイドレール体の外面部に外換気孔が形成され、内面部に内換気孔が形成された構成であるから、開閉体の構成の簡素化が図られる。
【０００９】
請求項３記載の開閉装置は、請求項２記載の開閉装置において、内換気孔は、ガイドレール体の内面部における外換気孔との対向部分以外の部分に形成されているものである。
【００１０】
そして、ガイド溝部で開閉体を案内するガイドレール体の内面部における外換気孔との対向部分以外の部分に内換気孔が形成された構成であるから、開閉体の構成の簡素化が図られるとともに、プライバシーの保護も図られる。
【００１１】
請求項４記載の開閉装置は、請求項２または３記載の開閉装置において、外換気孔は、ガイドレール体の外面部に室外空間側への切起しにより形成され、その切起し部分にて覆われているものである。
【００１２】
そして、外換気孔は、ガイドレール体の外面部に室外空間側への切起しにより形成され、その切起し部分にて覆われているので、例えば雨水等が室内空間に入り込むことが防止される。
【００１３】
【発明の実施の形態】
以下、本発明の開閉装置の一実施の形態の構成を図面を参照して説明する。
【００１４】
図１において、１は開閉装置で、この開閉装置１は、例えば住宅等の建物２に取り付けられた窓シャッタ等である。
【００１５】
この開閉装置１は、建物２の室外空間と室内空間とを仕切る上下方向に移動可能、例えば昇降可能なシャッタカーテン等の開閉体３と、この開閉体３の昇降時にこの開閉体３を案内する上下方向に長手状の左右一対のガイドレール体４とを備えている。
【００１６】
また、この開閉装置１は、両ガイドレール体４の上端部間にわたって配置された略箱状の収容ケース体６と、両ガイドレール体４の下端部間にわたって配置された下枠体７とを備えている。
【００１７】
なお、収容ケース体６内には、図示しないが、開閉体３を巻戻し可能に巻取る巻体が回転可能に配置されている。また、開閉体３は、例えば複数のスラット３ａ等にて構成された比較的安価なクローズタイプ式のものである。
【００１８】
ここで、両ガイドレール体４は、左右対称のもので、図２に示すように、開閉体３の昇降時に開閉体３の左右方向端部が挿入された状態で開閉体３を案内する横断面略コ字状で上下方向のガイド溝部１１を有している。
【００１９】
また、このガイドレール体４は、室外空間に面する上下方向に長手状で略矩形状の外面部である外板部１２と、この外板部１２と所定距離だけ離間対向して室内空間に面する上下方向に長手状で略矩形状の内面部である内板部１３とを有している。
【００２０】
これら互いに左右に離間対向した外板部１２および内板部１３は、ガイド溝部１１から建物２側に向って突出し、各先端側が建物２に固定されている。
【００２１】
そして、ガイドレール体４の外板部１２には、図２および図３に示すように、上下方向に間隔をおいて並んだ複数の外換気孔１６が横スリット状で略矩形状に形成されている。すなわち、外板部１２には、複数（例えば１０個以上）の外換気孔１６が外板部１２の上端から下端にわたって形成されている。
【００２２】
各外換気孔１６は、外板部１２に室外空間側への切起しにより形成され、その切起し部分１２ａにて覆われている。この室外空間側に膨出した切起し部分１２ａは、下面開口状のもので、上縁および両側縁が外板部１２の外換気孔１６に臨んだ縁部に連続している。
【００２３】
また、ガイドレール体４の内板部１３における外換気孔１６との対向部分以外の部分には、上下方向に間隔をおいて並んだ複数の内換気孔１７が、外換気孔１６と略同じ横スリット状で略矩形状に切欠き形成されている。
【００２４】
すなわち、内板部１３には、複数（例えば１０個以上）の内換気孔１７が、外板部１２の外換気孔１６と異なる高さ位置において内板部１３の上端から下端にわたって形成されている。なお、外換気孔１６と内換気孔１７とにて、ガイドレール体４に開口形成され室外空間と室内空間とを連通させる通気孔である換気孔２０が構成されている。
【００２５】
次に、上記一実施の形態の作用等を説明する。
【００２６】
開閉体３は、巻体の巻戻しにより下降して略平面状の閉状態となり、建物２の室外空間と室内空間とを仕切る。すなわち、開閉体３は、下降して閉状態となり、室外空間と室内空間との間の所定の開口部を閉鎖する。この下降時には、開閉体３は、左右一対のガイドレール体４のガイド溝部１１にて案内され、スムーズに下降する。
【００２７】
そして、室外空間と室内空間とが開閉体３にて仕切られた状態であっても、ガイドレール体４に形成された換気孔２０、つまり異なる高さに位置する外換気孔１６および内換気孔１７により換気が行われる。
【００２８】
すなわち、例えば室外空間からの空気が外換気孔１６および内換気孔１７を通って室内空間に入ったり（図２参照）、室内空間からの空気が内換気孔１７および外換気孔１６を通って室外空間に出たりする。
【００２９】
なお、室外空間と室内空間との仕切りの解除、つまり所定の開口部を開口させる場合は、巻体の巻取りにより開閉体３を上昇させればよい。
【００３０】
そして、上記開閉装置１によれば、ガイド溝部１１で開閉体３を案内するガイドレール体４の外板部１２に外換気孔１６が形成され、ガイドレール体４の内板部１３における外換気孔１６との対向部分以外の部分に内換気孔１７が形成された構成であるから、開閉体３の構成の簡素化を図ることができるとともに、プライバシーの保護を図ることもできる。また、開閉体３の構成の簡素化により、開閉体３が故障し難くなり、信頼性を向上でき、製造コストも低減できる。
【００３１】
しかも、外換気孔１６は、外板部１２に室外空間側への切起しにより形成され、その下面開口状の切起し部分１２ａにて覆われているので、プライバシー保護をより一層確実なものにできるばかりでなく、例えば雨天時等に雨水等が室内空間に入り込むのを防止できる。
【００３２】
なお、開閉装置１は、換気孔２０をガイドレール体４の外板部１２および内板部１３に形成したものには限定されず、例えば図示しないが、換気孔２０をガイドレール体４のガイド溝部１１に形成したものでもよい。また、図示しないが、外換気孔１６を外板部１２に切欠き形成したものでもよく、或いは、内換気孔１７を内板部１３に切起し形成したもの等でもよい。
【００３３】
また、開閉装置１は、例えば図示しないが、開口量調整手段にて換気孔２０の開口量を調整可能な構成としてもよい。
【００３４】
さらに、ガイドレール体４は、金属等にて一体形成したものでもよく、２つ以上の部品を連結して形成したもの等でもよい。
【００３５】
また、開閉装置１は、窓シャッタ等のシャッタ装置には限定されず、例えば図示しないが、その他のシャッタ装置、雨戸、引戸等のドア装置、ブラインド装置、スクリーン装置等、或いは、これら装置のうちの同種または異種を複数並設したものでもよい。
【００３６】
さらに、開閉体３は、閉移動方向を下方としかつ開移動方向を上方とする上下方向に移動可能なものには限定されず、例えば左右方向に移動可能なもの、床面等に沿って水平方向に移動可能なもの、床面等に対して傾斜した傾斜方向に移動可能なもの、或いは、これらの複合した方向に移動可能な構成としてもよい。
【００３７】
また、開閉装置１は、内換気孔１７をガイドレール体４の内板部１３における外換気孔１６との対向部分以外の部分のみに形成したものには限定されず、内換気孔１７を内板部１３における外換気孔１６との対向部分に形成したものでもよい。
【００３８】
【発明の効果】
請求項１の発明によれば、開閉体を案内するガイドレール体に換気孔が形成された構成であるから、開閉体の構成の簡素化を図ることができる。
【００３９】
請求項２の発明によれば、ガイド溝部で開閉体を案内するガイドレール体の外面部に外換気孔が形成され、内面部に内換気孔が形成された構成であるから、開閉体の構成の簡素化を図ることができる。
【００４０】
請求項３の発明によれば、ガイド溝部で開閉体を案内するガイドレール体の内面部における外換気孔との対向部分以外の部分に内換気孔が形成された構成であるから、開閉体の構成の簡素化を図ることができるとともに、プライバシーの保護を図ることもできる。
【００４１】
請求項４の発明によれば、外換気孔は、ガイドレール体の外面部に室外空間側への切起しにより形成され、その切起し部分にて覆われているので、例えば雨水等が室内空間に入り込むのを防止できる。
【図面の簡単な説明】
【図１】本発明の開閉装置の一実施の形態の斜視図である。
【図２】同上開閉装置のガイドレール体の横断面図である。
【図３】同上開閉装置のガイドレール体の縦断面図である。
【符号の説明】
１　　開閉装置
３　　開閉体
４　　ガイドレール体
１１　　ガイド溝部
１２　　外面部である外板部
１２ａ　　切起し部分
１３　　内面部である内板部
１６　　外換気孔
１７　　内換気孔
２０　　換気孔
【図１】
2004084418.tif 000003
【図２】
2004084418.tif 000004
【図３】
2004084418.tif 000005